(57)【要約】【課題】  釣銭として使用しない金種の貨幣が生ずるような自動釣銭機の運用を採用する場合に、操作の簡略化を図る。【解決手段】  入金された貨幣を金種別に選別して収納し、金種別に払い出すようにした自動釣銭機でのエンド状態報知、つまり、収納された貨幣のエンド状態を金種毎に検出し（ステップＳ１１）、エンド状態を検出したらこれを報知する（ステップＳ１５）という機能について、エンド状態であってもエンド状態の報知を実行しない金種を選択可能とし、選択された金種についてはエンド状態が検出されても（ステップＳ１２のＹ）、エンド状態の報知を実行しない（ステップＳ１４）。【選択図】    図７
2005208827.tif 000002
【特許請求の範囲】
【請求項１】
入金された貨幣を金種別に選別して収納し、金種別に払い出すようにした自動釣銭機において、
収納された貨幣のエンド状態を金種毎に検出する検出手段と、
前記検出手段がエンド状態を検出したことを報知する報知手段と、
前記報知手段によるエンド状態報知を実行しない金種を選択可能とする選択手段と、
前記選択手段によって選択された金種については、前記検出手段がエンド状態を検出した場合でも前記報知手段にエンド状態報知を実行させない報知禁止手段と、
を備えることを特徴とする自動釣銭機。
【請求項２】
前記検出手段は、貨幣の収納枚数が、貨幣のエンド状態を規定するための金種毎にユーザ設定可能な規定枚数以下の枚数となった場合にエンド状態を検出し、
前記選択手段は、前記ユーザ設定可能な規定枚数を０に設定することによってエンド状態報知を実行しない金種の選択を許容する、
ことを特徴とする請求項１記載の自動釣銭機。
【請求項３】
前記選択手段は、エンド状態報知を実行しない金種とした指定された金種の額面金額以下の金種を、エンド状態報知を実行しない金種として選択することを特徴とする請求項１記載の自動釣銭機。
【請求項４】
前記選択手段は、全金種の在高が０の状態から準備金が入金されなかった金種を、エンド状態報知を実行しない金種として選択することを特徴とする請求項１記載の自動釣銭機。
【発明の詳細な説明】
【技術分野】
【０００１】
本発明は、入金された貨幣を金種別に選別して収納する自動釣銭機に関する。
【背景技術】
【０００２】
従来、入金された貨幣を金種別に選別して収納し、金種別に払い出すようにした自動釣銭機がある（例えば、特許文献１参照）。
【０００３】
自動釣銭機では、収納した金種毎に貨幣の在高を監視しており、ある金種の硬貨の在高がエンド状態となったことを検出すると、その旨をＰＯＳ端末などのホスト機器やオペレータに対してエラー報知するようにしている。なお、ここでの「エンド状態」というのは、実際のある金種の硬貨の在高が０になった場合のみならず、在高が例えば規定枚数よりも少ない状態になったようないわばニアエンド状態をも含む概念である。このような「エンド状態」の概念は、本明細書の全体を通じて共通である。
【０００４】
【特許文献１】特開２００１−１４８０７３公報
【発明の開示】
【発明が解決しようとする課題】
【０００５】
一般的に、店舗では、１日の営業が終了すると自動釣銭機内の貨幣を回収して金庫などに保管する。そして、翌日の営業開始の際に、金庫に保管していた貨幣などを準備金として自動釣銭機に入金する。
【０００６】
ところで、例えば１００円単位で取り引きを行う１００円ショップでは、１００円の中に消費税を含む運用をしているとすると、１円、５円、１０円、５０円の硬貨を釣銭として使用することが無い。しかしながら、釣銭として使用しないからといって、１円、５円、１０円、５０円の硬貨を営業開始の際に自動釣銭機内に入金しないと、それらの硬貨がエンド状態となり、自動釣銭機によるエラー報知が行われてしまう。そこで、このような場合には、釣銭としては必要がない１円、５円、１０円、５０円の硬貨を自動釣銭機に数枚入金し、それらの金種の硬貨がエンド状態となることを回避している。このような入金作業は、上述したように、毎日行わなければならないので、店員にとって大きな負担となっている。
【０００７】
本発明の目的は、釣銭として使用しない金種の貨幣が生ずるような自動釣銭機の運用を採用する場合に、操作の簡略化を図ることである。
【課題を解決するための手段】
【０００８】
本発明は、収納された貨幣のエンド状態を金種毎に検出し、エンド状態が検出された場合にはエンド状態を報知するという機能を実行し、このような機能の実行について、エンド状態報知を実行しない金種を選択可能とし、選択された金種については、エンド状態が検出された場合でもエンド状態報知を実行させないようにした。
【発明の効果】
【０００９】
本発明によれば、釣銭として使用しない金種の貨幣が生ずるような自動釣銭機の運用を採用する場合、営業開始に際して、そのような金種の硬貨を自動釣銭機内に入金することなく不要なエンド状態報知を生じさせなくすることができ、したがって、操作の簡略化を実現して店員に掛かる負担を軽減することができる。
【発明を実施するための最良の形態】
【００１０】
本発明の第一の実施の形態を図１ないし図７に基づいて説明する。図１は本発明の第一の実施の形態の自動釣銭機である自動硬貨釣銭機の外観を示す斜視図、図２は自動硬貨釣銭機の内部構造を示す平面図、図３は自動硬貨釣銭機の内部構造を示す縦断側面図である。本実施の形態の自動硬貨釣銭機は、概略的には、収納した貨幣である硬貨のエンド状態の報知をするか否かを選択可能としたものである。
【００１１】
図１及び図２に示すように、自動硬貨釣銭機１の筐体であるハウジング２の右側手前には、貨幣である硬貨Ｃ（図３参照）を一括して投入する上方に開口した硬貨投入口３が設けられている。この硬貨投入口３には、光電的に硬貨Ｃの有無を検出する複数組の投入センサ４が設けられている。
【００１２】
ハウジング２の内部には、硬貨入出金機構Ａが内蔵されている。以下、硬貨入出金機構Ａについて説明する。
【００１３】
図２に示すように、硬貨投入口３には、モータＭ（図４参照）に連結されて駆動され、投入された硬貨Ｃを奥に向けて搬送する投入口ベルト５が設けられている。この投入口ベルト５上には硬貨投入口３の一端に位置させて不規則に投入された硬貨Ｃを一枚ずつ送り出すための投入口ローラ６が設けられている。また、投入口ベルト５には、モータＭ（図４参照）に連結されて駆動され、硬貨Ｃの送り速度を速めて所定の隙間をあけてそれぞれの硬貨Ｃを送ることができるように搬送速度を速めた搬送ベルト７が連設されている。さらに、搬送ベルト７の終端部分には、搬送方向を略直角に屈曲する硬貨案内部５０と、自動硬貨釣銭機１の幅方向に略平行に設けられ、硬貨案内部５０によって搬送方向が略直角に屈曲された硬貨Ｃを硬貨選別位置（後述する硬貨選別部１１）に搬送する搬送ベルト８が設けられている。
【００１４】
搬送ベルト８の下方には、この搬送ベルト８に沿わせて順次孔幅寸法が拡大する金種毎の選別孔１０が設けられ、ここに硬貨選別位置に位置し、搬送された硬貨Ｃを金種別に選別する硬貨選別部１１が形成されている。選別孔１０は、図２において右側から１円，５０円，５円，１００円，１０円，５００円の順にそれぞれの金種に対応する大きさで６個設けられている。そして、各選別孔１０には、金種毎に硬貨Ｃの枚数をカウントするための計数センサ１２が設けられている。選別孔１０は、仕切板１３により金種毎に仕切られた上方開口の硬貨収納部１４（１４ａ〜１４ｆ）に連通している。
【００１５】
次に、硬貨収納部１４、硬貨払出機構Ｂ等について説明する。図３に示すように、硬貨収納部１４のそれぞれの金種毎の底面部分には、モータＭ（図６参照）に連結されて駆動される搬送ベルトである払出ベルト１５が駆動ローラ１６と従動ローラ１７とに掛け渡されて設けられている。
【００１６】
払出ベルト１５は、エンドレスベルトであって、硬貨搬送方向下流側に向かうに従い高さが高くなるような昇斜面を形成するように傾斜配置されている。そして、硬貨収納部１４の出口部には、硬貨Ｃを一枚毎に分離する分離ローラ１８が、払出ベルト１５に対して硬貨Ｃ一枚が通過し得る間隔を隔てて配設され、かつ、全ての金種の出口部をそれらの金種毎に横断するように配設されている。
【００１７】
さらに、硬貨収納部１４の出口部には、所定枚数の硬貨Ｃを一列に整列させて、待機させる硬貨待機部１９が金種毎に設けられている。なお、硬貨待機部１９は、払出ベルト１５を備えており、硬貨払出経路としても機能する。
【００１８】
各硬貨待機部１９には、シャッタソレノイド２１に連結され、それぞれ金種別に硬貨Ｃを一時的に停止させるとともに必要枚数の硬貨Ｃを送り出すように動作制御がなされる硬貨シャッタ２０がそれぞれ設けられている。ここに、払出ベルト１５、駆動ローラ１６、従動ローラ、硬貨待機部１９などにより硬貨払出機構Ｂが構成されている。
【００１９】
硬貨シャッタ２０の直後には、金種毎に払い出された硬貨Ｃの枚数を計数する光センサである払出センサ２２や、硬貨Ｃの材質を検出するための発振コイルである材質センサ２７がそれぞれ設けられている。
【００２０】
さらに、払出ベルト１５によって硬貨Ｃを金種別に落下させる硬貨払出位置であって、ハウジング２の左側手前には、図１及び図２に示すように、上面が開口した筐体状の硬貨払出口２３が配置されている。また、この硬貨払出口２３の上方には、図１に示すように、操作部２４が設けられている。
【００２１】
操作部２４は、各種画面を表示する液晶表示器２５と、この液晶表示器２５の表示部に
積層配置されたタッチパネル２６とにより構成されている。
【００２２】
次に、自動硬貨釣銭機１に内蔵される各部の電気的接続について図５に基づいて説明する。自動硬貨釣銭機１はマイクロコンピュータ（以下、マイコンという。）３０を備えており、このマイコン３０が各部を駆動制御する。マイコン３０は、各部を集中的に制御するＣＰＵ（Central Processing Unit）３１にバスライン３２を介して、コンピュータプログラム等の固定的データを予め記憶するＲＯＭ（Read Only Memory）３３と各種データを書き換え自在に記憶するワークエリア等として機能するＲＡＭ（Random Access Memory）３４とが接続されて構成されている。
【００２３】
このマイコン３０には、投入センサ４、計数センサ１２、払出センサ２２、材質センサ２７等のセンサ類３５、シャッタソレノイド２１、各モータＭ、液晶表示器２５、タッチパネル２６、ブザー２８、例えばＰＯＳ端末が接続されデータ通信を行う通信インターフェース２９等が接続されている。このようにマイコン３０に接続された各部を説明する。
【００２４】
投入センサ４、計数センサ１２、払出センサ２２、材質センサ２７等のセンサ類３５は、例えば硬貨Ｃを光学的に検出した信号やコイルの電圧の変動等をマイコン３０に伝達するものであり、この検出信号に基づいてマイコン３０が各モータＭを駆動制御する。
【００２５】
また、シャッタソレノイド２１は、マイコン３０から出力される信号に基づき駆動制御され、通電（ＯＮ）されることで硬貨シャッタ２０を払出ベルト１５から離反する方向に変位させ、指定された枚数だけ硬貨Ｃを払い出す。なお、シャッタソレノイド２１は、ここでは１つしか図示しないが、実際には各金種毎に個々にマイコン３０によって制御される。
【００２６】
タッチパネル２６は、オペレータ（店員）によりタッチされたパネル上のＸＹ座標の位置を認識して座標データを取得し、この取得された座標データに応じた信号をマイコン３０に入力する。マイコン３０に信号が入力されると、マイコン３０は入力された座標データと画面上のキー位置とを比較することによりどのキーが操作されたかを特定する。
【００２７】
また、マイコン３０には、各種データを書き換え自在に記憶する不揮発性メモリ３６がバスライン３２を介して接続されている。不揮発性メモリ３６としてはＥＥＰＲＯＭを例示することができる。この不揮発性メモリ３６には、ニアエンド枚数設定テーブルＴ１が設けられている。ニアエンド枚数設定テーブルＴ１は、自動硬貨釣銭機１に収納されている硬貨Ｃのエンド状態を規定するためのテーブルである。図５に示すように、ニアエンド枚数設定テーブルＴ１には、金種毎にエンド状態を規定するニアエンド枚数が書き換え自在に設定されている。ここで、自動硬貨釣銭機１中の硬貨Ｃがニアエンドであるという表現は、自動硬貨釣銭機１に収納されている硬貨Ｃの在高が少ないことを示すために用いられ、硬貨収納部１４中のある金種の硬貨Ｃがニアエンド枚数以下の状態がその金種のニアエンド状態である。また、自動硬貨釣銭機１に収納されているある金種の硬貨Ｃの在高が無い場合にはその硬貨Ｃがエンド状態ということになる。もっとも、前述したように、「エンド状態」という概念は、自動硬貨釣銭機１中におけるある金種の硬貨Ｃの在高が０である場合のみならず、ニアエンド状態である場合をも含む概念である。なお、本実施の形態では、１円，５円，１０円，５０円，１００円，５００円の各金種のニアエンド枚数を、ＮＥ（１），ＮＥ（５），ＮＥ（１０），ＮＥ（５０），ＮＥ（１００）ＮＥ（５００）と表すこととする。
【００２８】
次に、ＣＰＵ３１がコンピュータプログラムに基づいて実行する各種処理及び各部の動作を説明する。まず、硬貨Ｃの入金処理を各部の動作により説明する。硬貨Ｃが硬貨投入口３に投入されると、投入センサ４がその硬貨Ｃを検出し、この検出信号により投入口ベルト５、投入口ローラ６、搬送ベルト７、搬送ベルト８が駆動される。そして、硬貨投入口３に投入された硬貨Ｃは、投入口ベルト５と投入口ローラ６との間で１枚ずつ分離されて搬送される。その後、搬送ベルト７により搬送される硬貨Ｃは、硬貨案内部５０によって搬送方向が略直角に屈曲され、搬送ベルト７から搬送ベルト８に受け渡され、硬貨選別部１１で金種毎の選別がなされる。すなわち、硬貨Ｃは、金種に応じて選別孔１０から落下し、硬貨収納部１４ａ〜１４ｆに金種別に収納される。そして、選別孔１０から落下した硬貨Ｃは、計数センサ１２により検出されその数がカウントされる。
【００２９】
また、ＰＯＳ端末からの釣銭払出命令を受信した場合には、払出処理を実行する。即ち、払出ベルト１５及びシャッタソレノイド２１を駆動して、釣銭払出命令に応じた釣銭を払い出す。このとき、払い出しされる硬貨Ｃは、払出センサ２２によりその数がカウントされる。以上の入金・払出処理における計数センサ１２及び払出センサ２２による硬貨Ｃのカウントに基づいて自動硬貨釣銭機１内の金種毎の在高が算出される。このようにして算出された各金種の在高は、不揮発性メモリ３６に記憶される。
【００３０】
次に、ニアエンド枚数設定処理を図６に示すフローチャートに基づいて説明する。まず、ニアエンド枚数設定処理をするには、例えばタッチパネル２６での入力操作によって、機器モードをニアエンド枚数設定モードに設定する。そして、５００円に対するニアエンド枚数を設定する（ステップＳ１）。具体的には、機器モードがニアエンド枚数設定モードに設定されていれば、液晶表示器２５に５００円に対するニアエンド枚数を入力するためのニアエンド枚数入力画面（図示せず）が表示される。そこで、このニアエンド枚数入力画面に対してのタッチパネル２６のタッチ入力より５００円に対するニアエンド枚数を入力することが可能となる。そして、ニアエンド枚数が入力されたならば、その入力された５００円のニアエンド枚数をニアエンド枚数設定テーブルＴ１に記憶させる。これにより５００円に対するニアエンド枚数が設定される。以後、同様の処理を１００円，５０円，１０円，５円，１円というように額面金額の高い金種から低い金種の順に実行する（ステップＳ２〜Ｓ６）。以上の処理により各金種のニアエンド枚数が設定される。
【００３１】
ここで、詳細は後述するが、本実施の形態では、ニアエンド枚数設定テーブルＴ１に設定されたニアエンド枚数が「０」に設定されている金種については、エンド報知を実行しない。この意味で、図６に示すフローチャート中のステップＳ１〜Ｓ６の処理は、エンド状態報知を実行しない金種を選択可能とする選択手段の機能を実行することになる。
【００３２】
次に、エンド状態報知処理を図７に示すフローチャートに基づいて説明する。このエンド報知処理は、例えば１取引毎の入金・払出処理が実行された後に行われる処理であり、概略的には、自動硬貨釣銭機１に収納された硬貨Ｃの枚数がニアエンド枚数以下である場合には、エンド報知を実行するが、エンド報知対象となる金種のニアエンド枚数が「０」に設定されている場合には、エンドの報知を実行しない処理である。
【００３３】
まず、エンド状態の金種があるか否かを検出する（ステップＳ１１、検出手段）。具体的には、自動硬貨釣銭機１内の各金種の在高がニアエンド枚数設定テーブルＴ１に設定されたニアエンド枚数以下であるか否かを判定する。自動硬貨釣銭機１内の各金種の在高は、前述した入金・払出処理における計数センサ１２及び払出センサ２２による硬貨Ｃのカウントに基づいて算出される。
【００３４】
エンド状態の金種が無い場合には（ステップＳ１２のＮ）、各金種の在高がエンド状態ではなく正常状態である旨を報知する（ステップＳ１３）。具体的には、正常状態である旨のホスト機に対する送信及び液晶表示器２５による表示、ブザー２８からの通常音の出力などを実行する。
【００３５】
一方、エンド状態の金種が有る場合には（ステップＳ１２のＹ）、当該金種のニアエンド枚数設定テーブルＴ１に設定されているニアエンド枚数が「０」であるか否かを判断する（ステップＳ１４）。ニアエンド枚数が「０」ではなく「１」枚以上に設定されている場合には（ステップＳ１４のＮ）、当該金種がエンド状態である旨を報知する（ステップＳ１５、報知手段）。具体的には、当該金種がエンド状態である旨のホスト機に対する送信及び液晶表示器２５による表示、通常音と異なるエンド用音のブザー２８からの出力などを実行する。
【００３６】
ステップＳ１４において、エンド状態である金種のニアエンド枚数設定テーブルＴ１に設定されているニアエンド枚数が「０」であると判断した場合には（ステップＳ１４のＹ）、ステップＳ１３に進み、全金種の枚数がエンド状態ではなく正常状態である旨を報知する（ステップＳ１３）。即ち、ニアエンド枚数が「０」に設定されている金種がエンド状態になった場合は、エンド状態を無視して正常状態であるとする。ここに、選択手段（図６中のステップＳ１〜Ｓ６）によって選択された金種については、検出手段（図７中のステップＳ１１）がエンド状態を検出した場合でも、報知手段にエンド状態報知を実行させない報知禁止手段の機能が実行される。
【００３７】
このように、本実施の形態では、自動硬貨釣銭機１に収納された貨幣である硬貨Ｃのエンド状態を金種毎に検出して、エンド状態を検出したことを報知する構成とした上で、エンド状態の報知を実行しない金種を選択可能としたことにより、釣銭として使用しない金種のエンド状態を報知しないように設定することができる。これにより、釣銭として使用しない金種を営業開始前に自動硬貨釣銭機１内に入金しなくてよいので、営業開始時における店員の準備金の入金作業に掛かる手間が軽減される。
【００３８】
また、本実施の形態では、検出手段は、貨幣である硬貨Ｃの収納枚数が、硬貨Ｃのエンド状態を規定するための金種毎にユーザ設定可能な規定枚数以下の枚数となった場合にエンド状態を検出し、選択手段は、ユーザ設定可能な規定枚数を０に設定することによってエンド状態報知を実行しない金種の選択を許容することにより、エンド状態を規定する規定枚数の設定によってエンド状態の報知／非報知を選択することができる。
【００３９】
なお、本実施の形態では、自動釣銭機として、自動硬貨釣銭機１を例に説明したが、これに限るものではなく、自動釣銭機としては、自動紙幣釣銭機でもよい。
【００４０】
次に、本発明の第二の実施の形態を図８に基づいて説明する。なお、前述した実施の形態と同じ部分は同一符号で示し説明も省略する（以降の実施の形態でも同じ）。
【００４１】
本実施の形態では、指定された金種の額面金額以下の金種のエンド状態報知を実行しない。このため、ニアエンド枚数設定処理が第一の実施の形態に対して異なる。
【００４２】
本実施の形態のニアエンド枚数設定処理では、図６に示した処理と同様に額面金額の高い金種から低い金種の順にニアエンド枚数の入力を受け付けてニアエンド枚数を設定する（ステップＳ１，Ｓ２，Ｓ３，Ｓ４，Ｓ５，Ｓ６）過程において、金種毎にニアエンド枚数として「０」が入力されたか否かを判断する（ステップＳ１´，Ｓ２´，Ｓ３´，Ｓ４´，Ｓ５´）。なお、この判断は、１円のニアエンド枚数に対しては実行しない。
【００４３】
ニアエンド枚数として「０」が入力されなかった場合には（ステップＳ１´のＮ，Ｓ２´のＮ，Ｓ３´のＮ，Ｓ４´のＮ，Ｓ５´のＮ）、次の金種のニアエンド枚数設定処理を実行する（ステップＳ２，Ｓ３，Ｓ４，Ｓ５，Ｓ６）。
【００４４】
ニアエンド枚数として「０」が入力された場合には（ステップＳ１´のＹ，Ｓ２´のＹ，Ｓ３´のＹ，Ｓ４´のＹ，Ｓ５´のＹ）、当該金種の額面金額以下の金種のニアエンド枚数を全て「０」に設定する。具体的には、それらの金種に対するニアエンド枚数設定テーブルＴ１のニアエンド枚数を「０」とする。例えば、金種５０円のニアエンド枚数として「０」が入力されたならば、金種５０円とともに金種１０円，５円，１円のニアエンド枚数も「０」に設定する。そして、処理を終了する。
【００４５】
これにより、ニアエンド枚数として「０」が入力されることで指定された金種の額面金額以下の金種のエンド状態報知が実行されなくなる。
【００４６】
このように、本実施の形態においては、エンド状態報知を実行しない金種とした指定された金種の額面金額以下の金種を、エンド状態報知を実行しない金種として選択することにより、エンド状態報知を実行しない金種とした指定した金種の額面金額以下の金種に対しては、自動的にエンド状態報知を行わない設定となるので、エンド状態を報知しない金種の設定操作が容易化される。
【００４７】
次に、本発明の第三の実施の形態を図９に基づいて説明する。
【００４８】
本実施の形態では、全金種の在高が「０」の状態からの準備金投入の際に、投入されなかった金種のエンド状態報知を実行しない。このため、ニアエンド枚数設定処理が前述の実施の形態に対して異なる。
【００４９】
本実施の形態のニアエンド枚数設定処理は、図９に示すように、まず、当該自動硬貨釣銭機１への準備金の投入要求の有無を判断する（ステップＳ３１）。この準備金の投入要求は、一例として、タッチパネル２６での入力操作によってなされる。準備金の投入要求が有ったと判断する条件の別の例としては、当該自動硬貨釣銭機１の電源がＯＮされたことや、図示しない準備金投入開始ボタンの操作による開始信号のマイコン３０への入力などでも良い。このように準備金の投入要求があったということは、別の面から見ると、機器モードがニアエンド枚数設定モードに設定されたということになる。
【００５０】
当該自動硬貨釣銭機１への準備金の投入要求があった場合には（ステップＳ３１のＹ）、自動硬貨釣銭機１の全金種の現在の在高が「０」であるか否かを判断する（ステップＳ３２）。これは、不揮発性メモリ３６に記憶されている自動硬貨釣銭機１内の全金種の現在の在高を参照することで行われる。
【００５１】
ステップＳ３２において、自動硬貨釣銭機１内の少なくとも一つの金種の現在の在高が「０」でないと判断した場合には（ステップＳ３２のＮ）、エラーとなり、エラー処理を実行する。
【００５２】
ステップＳ３２において、自動硬貨釣銭機１内の全金種の現在の在高が「０」であると判断した場合には（ステップＳ３２のＹ）、入金処理を実行する（ステップＳ３３）。この入金処理は第一の実施の形態で説明したので、ここでは説明を省略する。
【００５３】
入金処理を終了したならば（ステップＳ３４のＹ）、全金種のニアエンド枚数を設定する（ステップＳ３５）。入金処理の終了は、一例として、タッチパネル２６での入金処理終了指示のような入力操作によってなされる。そして、入金処理において、入金が有った金種に対しては、所定の枚数（例えば２０枚）をニアエンド枚数としてニアエンド枚数設定テーブルＴ１に記憶させる。ここで、入金の有無は、前述したように計数センサ１２により検出される。一方、入金処理において、入金が無かった金種に対しては、ニアエンド枚数として「０」枚をニアエンド枚数設定テーブルＴ１に記憶させる。
【００５４】
これにより、準備金の入金が無い金種に対しては、エンド状態報知が実行されなくなる。
【００５５】
このように、本実施の形態においては、全金種の在高が０の状態から準備金が入金されなかった金種を、エンド状態報知を実行しない金種として選択することにより、エンド状態を報知しない金種の設定操作が容易化される。
【図面の簡単な説明】
【００５６】
【図１】本発明の第一の実施の形態の自動硬貨釣銭機の外観を示す斜視図である。
【図２】自動硬貨釣銭機の内部構造を示す平面図である。
【図３】自動硬貨釣銭機の内部構造を示す縦断側面図である。
【図４】自動硬貨釣銭機に内蔵される各部の電気的接続を示すブロック図である。
【図５】ニアエンド枚数設定テーブルを示す模式図である。
【図６】ニアエンド枚数設定処理の流れを示すフローチャートである。
【図７】エンド状態報知処理の流れを示すフローチャートである。
【図８】本発明の第二の実施の形態のニアエンド枚数設定処理の流れを示すフローチャートである。
【図９】本発明の第三の実施の形態のニアエンド枚数設定処理の流れを示すフローチャートである。
【符号の説明】
【００５７】
１…自動硬貨釣銭機（自動釣銭機）、ステップＳ１〜Ｓ６…選択手段、ステップＳ１１…検出手段、ステップＳ１４…報知禁止手段、ステップＳ１５…報知手段、Ｃ…硬貨（貨幣）
【図１】
2005208827.tif 000003
【図２】
2005208827.tif 000004
【図３】
2005208827.tif 000005
【図４】
2005208827.tif 000006
【図５】
2005208827.tif 000007
【図６】
2005208827.tif 000008
【図７】
2005208827.tif 000009
【図８】
2005208827.tif 000010
【図９】
2005208827.tif 000011